(57)【要約】【課題】  反射板の着脱性がよく、かつ、反射板と器具本体の隙間を少なくできる照明器具を供給することにある。【解決手段】樋状であってその短手方向の端部に被係止部２ａを有する反射板２と、被係止部２ａと係合して反射板２を係止する係止部１ａを有する器具本体１と、を備え、反射板２に短手方向の力を加えることで被係止部２ｂが短手方向に移動して反射板２が器具本体１に着脱自在に取り付けられる照明器具１において、被係止部２ａを長手方向に点在して設け、互いの被係止部２ａの間に端部より延出して器具本体１に当接する当接部２ｂを設けた。【選択図】        図１
2006221827.tif 000002
【特許請求の範囲】
【請求項１】
樋状であってその短手方向の端部に被係止部を有する反射板と、前記被係止部と係合して前記反射板を係止する係止部を有する器具本体と、を備え、前記反射板に短手方向の力を加えることで前記被係止部が短手方向に移動して反射板が前記器具本体に着脱自在に取り付けられる照明器具において、前記被係止部を長手方向に点在して設け、互いの被係止部の間に前記端部より延出して器具本体に当接する当接部を設けたことを特徴とする照明器具。
【請求項２】
前記被係止部は、反射板の両端部と中央部に設けたことを特徴とする請求項１記載の照明器具。
【請求項３】
前記被係止部と当接部とを連続して設けたことを特徴とする請求項１又は２記載の照明器具。
【請求項４】
前記器具本体は、電源線を挿通する電源孔と、電源線が接続される端子台と、を備え、前記反射板は前記電源孔と前記端子台を器具本体の下面側から覆うものであることを特徴とする請求項１乃至３記載の照明器具。
【発明の詳細な説明】
【技術分野】
【０００１】
本発明は、建物の天井面などに取り付けられる照明器具に関する。
【背景技術】
【０００２】
この種の照明器具としては、特開平６−２４３７１３号公報に開示されたものがある。図７は、この照明器具の一部を示した断面図である。このものは、樋状であってその短手方向の端部に被係止部２ａを有する反射板２と、被係止部２ａと係合して反射板２を係止する係止部１ａを有する器具本体１と、を備えて構成されている。
反射板２は、断面がＶ字型でありその短手方向の両端部にフランジ状の被係止部２ａが設けられている。また、この被係止部２ａと係合して反射板２を係止する係止部１ａは、器具本体１の内面上部に設けられた断面Ｌ字型をなしている。
【０００３】
このものは、Ｖ字型の反射板２の両側より短手方向の力を加えて被係止部２ａを短手方向に移動させ、これを係止部１ａに係止させることで反射板２が器具本体１に取り付けられる照明器具である。また、反射板２を取り外すときは、反射板２の両側より短手方向の力を加えて被係止部２ａを短手方向に移動させ、これを係止部１ａから外すことで反射板２が器具本体１から取り外せるものである。
【特許文献１】特開平６−２４３７１３号公報
【発明の開示】
【発明が解決しようとする課題】
【０００４】
ところが上記した照明器具は、例えば、被係止部２ａと係止部１ａとが器具本体の長手方向全長に渡り設けられていた場合は、反射板２の着脱が行いにくいものとなる。また、被係止部２ａと係止部１ａとが器具本体の長手方向両端にしかないものは、反射板２の長手方向中央部にたわみが生じて反射板２と器具本体１の間で隙間が生じるものとなり意匠的に好ましいものではなかった。
【０００５】
本発明は、上記事由に鑑みてなしたもので、その課題は、反射板の着脱性がよく、かつ、反射板と器具本体の隙間を少なくできる照明器具を供給することにある。
【課題を解決するための手段】
【０００６】
以上のことにより、本発明の請求項１に係る発明の照明器具は、樋状であってその短手方向の端部に被係止部を有する反射板と、前記被係止部と係合して前記反射板を係止する係止部を有する器具本体と、を備え、前記反射板に短手方向の力を加えることで前記被係止部が短手方向に移動して反射板が前記器具本体に着脱自在に取り付けられる照明器具において、前記被係止部を長手方向に点在して設け、互いの被係止部の間に前記端部より延出して器具本体に当接する当接部を設けたことを特徴とする。
【発明の効果】
【０００７】
請求項１記載の発明にあっては、樋状であってその短手方向の端部に被係止部を有する反射板と、前記被係止部と係合して前記反射板を係止する係止部を有する器具本体と、を備え、前記反射板に短手方向の力を加えることで前記被係止部が短手方向に移動して反射板が前記器具本体に着脱自在に取り付けられる照明器具において、前記被係止部を長手方向に点在して設けたことにより、被係止部２ａと係止部１ａとが器具本体１の長手方向全長に渡り設けられているものと比べて反射板が取付けやすいものとなる。さらに、互いの被係止部の間に前記端部より延出して器具本体に当接する当接部を設けたので反射板と器具本体の隙間を少なくできる。
【発明を実施するための最良の形態】
【０００８】
（実施の形態）
本発明の実施の形態を図１〜図６を用いて説明する。図１は反射板を外したときの照明器具の図で、図１（ａ）は正面図、図１（ｂ）は下面図、図２はカバーを取付けたときの側面図、図３は器具本体とカバーとを並べたときの図、図４は被係止部を示した図、図５は係止部を示した図、図６は反射板を取付けるときの説明図である。
【０００９】
この照明器具は、建物の天井面などに取り付けられる照明器具である。このものは、樋状であってその短手方向の端部に被係止部２ａを有する反射板２と、被係止部２ａと係合して反射板２を係止する係止部１ａを有する器具本体１と、器具本体１に取付けられる端子台３と、器具本体１にランプソケットを介して取付けられる光源と、を備えて構成されている。
【００１０】
器具本体１は、鉄板を折り曲げ加工したものであり下面に開口を有する箱型をなしている。器具本体１の上部中央には、天井裏などから電源線を挿通するための電源孔１ｂが形成されており、この電源孔１ｂの近傍に電源線が接続される端子台３が取付けられている。さらに器具本体１の光源（図１の２点さ線で示したもの。）が配置される箇所の上部には、器具本体１の長手方向に沿って係止部１ａが形成されている。係止部１ａは、器具本体１の短手方向の両側であって器具本体１の両端部と中央部の合計６箇所に設けられており、その形状は図５に示すように袋状になっている。
【００１１】
反射板２は、電源孔１ｂと端子台３を器具本体１の下面側から覆うものである。反射板２は、鉄板を折り曲げ加工したものであり断面が略Ｖ字状をなしている。また、その短手方向の端部には、係止部１ａと係合する被係止部２ａが反射板の長手方向に点在して設けられている。詳しくは、被係止部２ａは、反射板２の長手方向の両端部と中央部に設けられている。そして、反射板２は、短手方向の力を加えることで被係止部２ａが短手方向に移動して反射板２が器具本体１に着脱自在に取り付けられる程度に、その板圧や材料やＶ字状の角度が設定されている。さらに、反射板２の互いの被係止部２ａの間に短手方向の端部より延出して器具本体１に当接する当接部２ｂが、切り欠き部２ｃを介して被係止部２ａと連続的に設けられている。
【００１２】
次に、この照明器具の反射板２の着脱手順を図６を用いて説明する。
まず、図６（ａ）のように反射板２のＡ、Ｂ、Ｃに位置する被係止部２ａを係止部１ａに挿入する。次に、図６（ｂ）のように反射板２のＡ、Ｄ間とＣ、Ｆ間を手で挟み、Ｄ、Ｆに位置する被係止部２ａを係止部１ａに挿入する。最後に、図６（ｃ）のように反射板２のＥに位置する被係止部２ａを係止部１ａに挿入する。これで反射板２の取付けが完成する。
【００１３】
なお、この反射板２を取外すときは、反射板２のＡ、Ｄ間とＣ、Ｆ間を手で挟み、Ｄ、Ｆに位置する被係止部２ａを係止部１ａから取外すと、これと同時にＥに位置する被係止部２ａが係止部１ａから外れるようになる。これで反射板２の取外しが完成する。
【００１４】
この実施の形態によると、樋状であってその短手方向の端部に被係止部２ａを有する反射板２と、被係止部２ａと係合して反射板２を係止する係止部１ａを有する器具本体１と、を備え、反射板２に短手方向の力を加えることで被係止部２ａが短手方向に移動して反射板２が器具本体１に着脱自在に取り付けられる照明器具において、被係止部２ａを長手方向に点在して設けたので、被係止部２ａと係止部１ａとが器具本体１の長手方向全長に渡り設けられているものに比べて反射板２が取付けやすいものとなる。さらに、互いの被係止部２ａの間に端部より延出して器具本体１に当接する当接部２ｂを設けたので反射板２と器具本体１の隙間を少なくできる。
【００１５】
また、被係止部１ａは、反射板２の両端部と中央部に設けたことにより、中央部分の反射板２と器具本体１との隙間が生じにくいものとなる。さらに、このようにすることで短手方向一方側に設けられた複数の被係止部２ａを係止部１ａに係止し、その後、短手方向他方側に設けられた複数の被係止部２ａを係止しやすい箇所から係止できる位置関係に被係止部２ａと係止部１ａとを配置しやすくなり設計が容易になる上に、反射板２がさらに取付けやすいものとなる。
【００１６】
また、被係止部２ａと当接部２ｂとを連続して設けたことにより隙間ができにくいものとなる。
さらに、器具本体１は、電源線を挿通する電源孔１ｂと、電源線が接続される端子台３と、を備え、反射板２を電源孔１ｂと端子台３を器具本体１の下面側から覆うものであるものとしたので、電源孔１ｂから侵入した埃や電源線は、反射板２と器具本体１との隙間からは出にくいものとなる。
【００１７】
なお、このように隙間を小さくする別の効果としては、光源から出た光が隙間に入り込んで反射板２の天井側で減衰してしまうことがほぼなくなるので照明器具の発光効率も向上できるものとなる。
【図面の簡単な説明】
【００１８】
【図１】本発明の実施の形態に係る図で、図１（ａ）はこの照明器具の反射板を外したときの正面図、図１（ｂ）は同下面図である。
【図２】同上の照明器具のカバーを取付けたときの側面図である。
【図３】同上の照明器具の器具本体とカバーとを並べたときの図である。
【図４】同上の照明器具の被係止部を示した図である。
【図５】同上の照明器具の係止部を示した図である。
【図６】同上の照明器具の反射板を取付けるときの説明図である。
【図７】従来例に係る照明器具の一部を示した断面図である
【符号の説明】
【００１９】
１    器具本体
１ａ  係止部
１ｂ  電源孔
２    反射板
２ａ  被係止部
２ｂ  当接部
３    端子台
【図１】
2006221827.tif 000003
【図２】
2006221827.tif 000004
【図３】
2006221827.tif 000005
【図４】
2006221827.tif 000006
【図５】
2006221827.tif 000007
【図６】
2006221827.tif 000008
【図７】
2006221827.tif 000009